(57)【要約】【課題】切手の出し入れが容易で、またどのような場所にも違和感なく置くことができ、必要なときには気軽に切手を取り出すことができる切手用額縁型鑑賞ケースを提供しようとする。【解決手段】額縁枠体１と、それに重ね合わせて固着される裏板２と、それらの間に挟まれながら前記額縁枠体１の窓１０を覆う透明板３とから構成される。前記額縁枠体１の合わせ面か、記裏板２の合わせ面のいずれかまたは両方に、いずれかの側面端部１２から、前記透明板３を抜き差し自在とすることのできる切り欠き１１を形成させる。さらに、前記裏板３の少なくとも裏面側をマグネット層として形成させた。【選択図】図２
0003139772.tif 000002
【実用新案登録請求の範囲】
【請求項１】
額縁枠体と、それに重ね合わせて固着される裏板と、それらの間に挟まれながら前記額縁枠体の窓を覆う透明板とからなる切手用額縁型鑑賞ケースであって、
前記額縁枠体の合わせ面か、前記裏板の合わせ面のいずれかの合わせ面、または両方の合わせ面に、いずれかの側面端部から、前記透明板を抜き差し自在とすることのできる切り欠きを形成させるとともに、
前記裏板の少なくとも裏面側をマグネット層として形成させたことを特徴とする切手用額縁型鑑賞ケース。
【請求項２】
額縁枠体の縦横の外形寸法が７１ｍｍ×６１ｍｍ以下であって、窓枠の縦横寸法が５５ｍｍ×４５ｍｍ以下であることを特徴とする請求項１の切手用額縁型鑑賞ケース。
【考案の詳細な説明】
【技術分野】
【０００１】
この考案は、切手を鑑賞するためのケースに関する。
【背景技術】
【０００２】
切手には、有名な絵画が印刷されるものがあるほか、オリジナルのデザインであっても美術的に優れるものが多い。したがって、切手を鑑賞用に集める者も少なくない。
【０００３】
そこで、実開平３−８９６６３号（特許文献１）では、切手を単体で鑑賞できるようにした展示用額縁が提案されている。これは、図４に示すように、窓にガラス5が装着された額縁枠体6の裏側に、切手4を挟み込んだ板7を他の板8と一緒に嵌め込んだうえ、裏板9で押さえ込んで、その裏板9を額縁枠体6に固定するという構造のもので、従来の額縁を切手用にアレンジしたものである。
【特許文献１】実開平３−８９６６３号（第１図〜第３図）
【考案の開示】
【考案が解決しようとする課題】
【０００４】
しかし、上記従来構造は、切手4をいくつかの板7,8で挟み込んだうえ、裏板9で押さえ込み、それを固着するといった工程をとり、額縁に対する切手の出し入れがきわめて煩雑だった。
【０００５】
また、基本的には額縁と同構造なので、紐で壁にかけるか、他のものに立てかけるかといった以外に取付方法がなく、その設置場所に制約があった。それゆれ、どこでも気軽に切手を鑑賞するということもできなかった。
【０００６】
もちろん、切手ゆえに鑑賞だけに供するのではなく、必要があれば郵送に使うこともあり、例えば普通はオフィスの机の上に飾っておいて、必要なときにそこから取り出して封書に貼るというような場合、上記の額縁では、構造的に仰々しくそのような使い方には不向きであった。
【０００７】
この考案は、従来技術の以上のような問題に鑑み創案されたもので、切手の出し入れが容易で、またどのような場所にも違和感なく置くことができ、必要なときには気軽に切手を取り出すことができる切手用額縁型鑑賞ケースを提供しようとするものである。
【課題を解決するための手段】
【０００８】
このため、この考案に係る切手用額縁型鑑賞ケースは、額縁枠体と、それに重ね合わせて固着される裏板と、それらの間に挟まれながら前記額縁枠体の窓を覆う透明板とからなる切手用額縁型鑑賞ケースであって、
前記額縁枠体の合わせ面か、前記裏板の合わせ面のいずれかの合わせ面または両方の合わせ面に、いずれかの側面端部から、前記透明板を抜き差し自在とすることのできる切り欠きを形成させるとともに、
前記裏板の少なくとも裏面側をマグネット層として形成させたことを特徴とする。
【０００９】
この考案では、額縁枠体の合わせ面か、前記裏板の合わせ面のいずれかの合わせ面、または両方の合わせ面に、いずれかの側面端部から、透明板を抜き差し自在とすることのできる切り欠きを形成させているので、切手をセットする際は、透明板を抜いた状態で、額縁枠体の窓から露出する裏板表面に切手を置き、切手を手で押さえながら、前記側面端部の切り欠き口から透明板を差し込めば、切手は差し込んだ透明板に押さえられて固定される。これにより、切手は額縁枠体の窓の透明板を通して鑑賞が可能となる。切手の取り外しは、逆の作業をすればよく、前記切り欠き口から透明板を抜いて行えば良い。
【００１０】
また、この考案の切手用額縁型鑑賞ケースは、裏板の少なくとも裏面側がマグネット層なので、マグネットが付く箇所であれば着脱自在に簡単に取り付けることができる。
【００１１】
ここで、本考案者の検討によれば、諸外国の切手を含め、ほぼ９割方の切手は、その縦横の寸法が５５ｍｍ×４５ｍｍ以下であることがわかっている。このため、窓枠の寸法の最大値をそれと同値に設定すれば、ほぼ９割方の切手は収めることができることになる。そのような前提のもと、その９割方の切手の寸法を基準にして額縁枠体とのバランス等を試行錯誤のうえ検討した結果、額縁枠体の縦横の外形寸法の最大値は７１ｍｍ×６１ｍｍが最適であることが判明した。そこで、額縁枠体の縦横の外形寸法が７１ｍｍ×６１ｍｍ以下であって、窓枠の縦横寸法が５５ｍｍ×４５ｍｍ以下であることを特徴とする構成を請求項２の考案とする。
【考案の効果】
【００１２】
以上のように、この考案によれば、透明板が抜き差し自在となっており、切手のセットおよび取り外しもきわめて簡単に行える。
【００１３】
また、この考案のケースはマグネットが吸着できる箇所であれば、取り外し自在に簡単に取り付けることができるので、あらゆる場所に気軽に取り付けることができる。このため、あらゆる場所で気軽に切手の鑑賞ができることになる。
【００１４】
もちろん、オフィスのデスク周りや家庭の金属部（例えば、ホワイトボードやロッカー、金属棚、冷蔵庫等）に気軽に取り付けることができるとともに、切手を郵便に使う時にも、気軽にかつ簡単に切手を取り出すことができる。
【考案を実施するための最良の形態】
【００１５】
本考案の具体的実施形態例を図面に基づき説明する。なお、以下の形態例はあくまで一例であり、本考案が本形態例に限定されるものでないことは当然である。
【００１６】
図１は本形態例に係る切手用額縁型鑑賞ケース（ただし透明板はない状態）を示し、(a)は正面図、(b)は側面図である。また、図２は同形態例を裏側から見た展開図、図３は同形態例における切手のセット状態図である。
【００１７】
本形態例のケースは、額縁枠体1と、裏板2と、透明板3とから構成される。
【００１８】
額縁枠体1は金属製よりなり、外形寸法の縦横が７１ｍｍ×６１ｍｍ、窓10枠の縦横寸法が５５ｍｍ×４５ｍｍとなっている。また、額縁枠体1の合わせ面となる裏面には、図２に示すように、縦側の一方の側面端部12から窓10の一回り外側に至るまでの広さの扁平状切り欠き11が形成されている。本形態例では、このような切り欠き11は、後述する裏板2の合わせ面（表面20）に形成させても良いし、また切り欠き11の厚みをそれぞれ薄くして額縁枠体1と裏板2の両合わせ面に形成させても良い。この切り欠き11に後述する透明板3が配置されることになる。なお、前記切り欠き11は、縦側の他方の側面端部から、あるいは横側のいずれかの側面端部から形成させる形態としても良い。
【００１９】
裏板2は、本形態例では１枚のマグネットシートから形成されている。裏板2は、少なくとも裏面（合わせ面の反対面）側にマグネット層を形成させればよいので、例えば本体は樹脂製素材を用い、その裏面にマグネットを点在させるような構成ないしそれに類する構成でも良い。
【００２０】
透明板3はアクリル板よりなるが、これも透明部材であれば他の素材（例えばガラス）でも良い。
【００２１】
図２に示すように、前記額縁枠体1の合わせ面（裏面）に、前記裏板2を重ね合わせて固着する。縦側の一方側面端部12には、切り欠き口11aが形成されるので、そこから前記透明板3が差し込み自在となる。透明板3をそこから奥まで差し込み、それが切り欠き11に嵌れば、透明板3は額縁枠体1の窓10を内側から覆うことになる。
【００２２】
切手のセットは、図３に示すように、前記額縁枠体1と裏板2が固着されている状態において、透明板3を抜いておき、切手4を窓10から露出する裏板の表面20に載置し、切手4を押さえながら（ただし図面上は押さえていない）、透明板3を差し込めばそれだけで良い。逆に切手4の取り外しは、透明板3を抜くだけで良い。また、ケースの裏面を構成する裏板3がマグネットシートなので、マグネットが吸着できる箇所であれば、どこでも気軽に取り付けることができ、しかも本形態例は額縁のミニチュアサイズ様なので、ちょっとした飾り用小物として利用できることになる。
【産業上の利用可能性】
【００２３】
この考案は、切手の観賞用ケースとして利用可能である。
【図面の簡単な説明】
【００２４】
【図１】本形態例に係る切手用額縁型鑑賞ケース（ただし透明板はない状態）を示し、(a)は正面図、(b)は側面図である。
【図２】本形態例のケースを裏側から見た展開図である。
【図３】本形態例のケースにおける切手のセット状態図である。
【図４】実開平３−８９６６３号に示される従来構造の構造図であり、(a)は展開図、(b)は完成図である。
【符号の説明】
【００２５】
1      額縁枠体
2      裏板
3      透明板
4      切手
10     窓
【図１】
0003139772.tif 000003
【図２】
0003139772.tif 000004
【図３】
0003139772.tif 000005
【図４】
0003139772.tif 000006
【手続補正書】
【提出日】平成19年12月17日(2007.12.17)
【手続補正１】
【補正対象書類名】明細書
【補正対象項目名】００２３
【補正方法】変更
【補正の内容】
【００２３】
この考案は、切手の鑑賞用ケースとして利用可能である。